(57)【要約】【課題】高開口率を有する高解像度のLCDパネルを提供する。【解決手段】薄膜トランジスタアレイ基板210は基板212と、基板212に配置された複数の走査線214と、基板212に配置された複数のデータ線216と、基板212に配置された第一ピクセルグループ218aと、基板212に配置された第二ピクセルグループ218bとを備える。第一ピクセルグループ218aは第一反射リージョンR1と第一透過リージョンT1とを備え、第二ピクセルグループ218bは第二透過リージョンT2と第二反射リージョンR2とを備え、第一ピクセルグループ218aと第二ピクセルグループ218bは走査線214とデータ線216により制御され且つ列方向に沿って交互に配列されている。第一透過リージョンT1と第二透過リージョンT2とは接している。【選択図】図4
2007140435.tif 000002
【特許請求の範囲】
【請求項１】
基板と、
前記基板に配置された第一ピクセルグループと、
前記基板に配置された第二ピクセルグループとを備え、
前記第一ピクセルグループは第一方向に沿って配列された複数の第一ピクセルを有し、前記第一ピクセルは第二方向に沿って配列された第一反射リージョンと第一透過リージョンとを備え、前記第一方向は前記第二方向と直交し、
前記第二ピクセルグループは前記第一方向に沿って配列された複数の第二ピクセルを有し、前記第二ピクセルは前記第二方向に沿って配列された第二透過リージョンと第二反射リージョンとを備え、前記第一透過リージョンは前記第二透過リージョンに接することを特徴とする薄膜トランジスタアレイ基板。
【請求項２】
請求項１による薄膜トランジスタアレイ基板において、
前記第一反射リージョンは第一反射電極により画定され且つ前記第一透過リージョンは第一透過電極により画定され、
前記第二反射リージョンは第二反射電極により画定され且つ前記第二透過リージョンは第二透過電極により画定されることを特徴とする薄膜トランジスタアレイ基板。
【請求項３】
請求項１による薄膜トランジスタアレイ基板において、
各第一ピクセルは、前記基板に配置された走査線と、前記基板に配置されたデータ線と、前記走査線と前記データ線とに電気的接続されている薄膜トランジスタとを更に備えることを特徴とする薄膜トランジスタアレイ基板。
【請求項４】
請求項１による薄膜トランジスタアレイ基板において、
各第二ピクセルは、前記基板に配置された走査線と、前記基板に配置されたデータ線と、前記走査線と前記データ線とに電気的接続されている薄膜トランジスタとを更に備えることを特徴とする薄膜トランジスタアレイ基板。
【請求項５】
請求項１に記載されている薄膜トランジスタアレイ基板と、
前記薄膜トランジスタアレイ基板と関連して配置され、該薄膜トランジスタアレイ基板との間の間隔を画定するカラーフィルター基板と、
前記薄膜トランジスタアレイ基板と前記カラーフィルター基板との間に配設された液晶層とを備えることを特徴とする半透過型ディスプレイパネル。
【請求項６】
請求項５による半透過型ディスプレイパネルにおいて、
前記カラーフィルター基板は前記第一透過リージョンと前記第二透過リージョンとのためのフィルター透過リージョンを画定することを特徴とする半透過型ディスプレイパネル。
【請求項７】
請求項６による半透過型ディスプレイパネルにおいて、
前記フィルター透過リージョンは前記第一透過リージョンと第二透過リージョンとが接する領域を提供することを特徴とする半透過型ディスプレイパネル。
【請求項８】
請求項５による半透過型ディスプレイパネルにおいて、
カラーフィルター基板は第二基板と、前記第二基板に配置された複数のカラーフィルター膜と、前記第二基板に配置された突起層と、前記第二基板に配置されたコモン電極とを更に備え、
前記コモン電極は前記カラーフィルター膜と突起層とを覆うことを特徴とする半透過型ディスプレイパネル。
【請求項９】
請求項８による半透過型ディスプレイパネルにおいて、前記突起層は第一突起と第二突起とを有し、
前記第一突起と前記第二突起は前記第一と第二反射リージョンにおけるカラーフィルター基板と薄膜トランジスタアレイ基板の間の間隔を狭くすることを特徴とする半透過型ディスプレイパネル。
【請求項１０】
請求項９による半透過型ディスプレイパネルにおいて、
前記第一突起と第二突起は、前記第一及び第二突起と前記第一及び第二反射リージョンとのそれぞれの間にある間隔を狭くすることを特徴とする半透過型ディスプレイパネル。
【請求項１１】
請求項１０による半透過型ディスプレイパネルにおいて、前記第一反射リージョンと第二反射リージョンの上側にある間隔の厚さが前記第一透過リージョンと第二透過リージョンの上側にある液晶層の厚さの半分に等しいことが可能であることを特徴とする半透過型ディスプレイパネル。
【請求項１２】
請求項５に記載されている半透過型ディスプレイパネルと、
イメージコントローラとを備え、
前記イメージコントローラは前記半透過型ディスプレイパネルに接続され、前記半透過型ディスプレイパネルを制御してイメージを表示させることを特徴とするディスプレイデバイス。
【請求項１３】
請求項１２に記載されているディスプレイデバイスと、
システムコントローラとを備え、
前記システムコントローラは前記ディスプレイデバイスのコントローラに接続されイメージを表示させることを特徴とする電子デバイス。
【発明の詳細な説明】
【技術分野】
【０００１】
本発明は、薄膜トランジスタアレイ（TFTアレイ）に関するものである。特に高開口率を有する半透過型（トランスフレクィブ）薄膜トランジスタ液晶ディスプレイ（TFT-LCD）に関するものである。
【背景技術】
【０００２】
現代人のライフスタイルに合わせるため、ビデオや映像機器がより軽く且つスリムになっている。従来のブラウン管（ＣＲＴ）は多くの利点を持っているが、電子銃についての設計がＣＲＴを重くかつ大きくさせる。また、少量の放射線の生成により視聴者の目を傷つける危険が常に存在する。半導体デバイス及びオプトエレクトロニックデバイスの製造技術の躍進につれて、フラットパネル・ディスプレイ例えば液晶ディスプレイ（LCD）、有機発光ディスプレイ（OLED）とプラズマディスプレイパネル（PDP）が次第にディスプレイ製品の主流になってきている。
【０００３】
光源によって、液晶ディスプレイは三種類に分類される。すなわち反射型LCD、透過型LCDと半透過型LCDである。半透過型LCDを例として挙げると、半透過型LCDは主に液晶パネルとバックライトモジュールとを備える。半透過型LCDパネルは二枚の透明な基板とその間に挟持された液晶層とを備える。バックライトモジュールは映像を表示するために表面光源を提供し液晶パネルを照射する。さらに具体的に言うと、半透過型LCDパネルは複数のピクセルを有し、各ピクセルは透過リージョンと反射リージョンとをそれぞれ備える。前記透過リージョンと反射リージョンとは異なるセルギャップを有する。
【０００４】
図１は従来の半透過型LCDパネルを模式的に示す上面図であり、図２は図１に示されている従来の半透過型LCDパネルのA-Aラインに沿った模式的断面図である。図1と図２を参照すると、従来の半透過型LCDパネル100は薄膜トランジスタアレイ110と、カラーフィルター120と、液晶層130とを備える。カラーフィルター120は薄膜トランジスタアレイ110の上側に配置され、液晶層130は薄膜トランジスタアレイ110とカラーフィルター120の間に狭持されている。
【０００５】
図1と図２を参照すると、従来の薄膜トランジスタアレイ110においては、複数の半透過型ピクセルPがその上に形成されている。各半透過型ピクセルPは透過リージョンTと反射リージョンRとを有する。突起層122がカラーフィルター120の表面に形成されたため、半透過型ピクセルPの反射リージョンRとカラーフィルター120との間にセルギャップG/2が形成されているが、半透過型ピクセルPの透過リージョンTとカラーフィルター120との間にセルギャップGが形成されている。
【発明の開示】
【発明が解決しようとする課題】
【０００６】
図１と図２に示されているように、薄膜トランジスタアレイ110の同じ列において、多数のピクセルPの反射リージョンRと透過リージョンTが交互に設置されているため、逆傾斜領域D1、D2はピクセルP内のエリアに形成されているだけではなく、各ピクセルPの端部においても形成されている。さらに詳しく言うと、厚さ過渡エリアが突起層122の端部に形成されたため、逆傾斜領域（リバース・ティルト・ドメイン）D1、D2は各ピクセルPの端部とピクセルP内において薄膜トランジスタアレイ110の透過リージョンTと反射リージョンRとの間のエリアに対応するエリアに形成されている。従って、従来の半透過型LCDパネル100の開口率が各ピクセルPの端部に形成された逆傾斜領域D1によって制限されている。高開口率を有する高解像度LCDパネルを得るため、逆傾斜領域（リバース・ティルト・ドメイン）は低減されなければならない。
【課題を解決するための手段】
【０００７】
本発明は、隣りのピクセルの透過リージョンを隣接させるよう構成することにより、高開口率を有する半透過型薄膜トランジスタ液晶ディスプレイを提供する。本発明の一つの実施例において、隣りの透過リージョンが接している。
【発明の効果】
【０００８】
ここに具体化され且つ広く記述されたように、本発明は薄膜トランジスタアレイ基板を提供する。該薄膜トランジスタアレイ基板は、基板と、この基板に配置され且つ第一方向に沿って配列された第一ピクセルグループと第二ピクセルグループとを備える。前記第一ピクセルグループは、第一反射リージョンと第一透過リージョンとを有し、前記第二ピクセルグループは第二透過リージョンと第二反射リージョンとを有し、これらのリージョンは第二方向に沿って配列されている。前記第一方向は前記第二方向と直交し、且つ前記第一透過リージョンと前記第二透過リージョンとは接している。
【０００９】
ここに具体化され且つ広く記述されたように、本発明は半透過型薄膜トランジスタ液晶ディスプレイを提供する。該液晶ディスプレイは上述した薄膜トランジスタアレイ基板と、前記薄膜トランジスタアレイ基板の上側に配置されたカラーフィルター基板と、前記カラーフィルター基板と前記薄膜トランジスタアレイ基板との間に設置された液晶層とを備える。
【００１０】
ここに具体化され且つ広く記述されたように、本発明は上述した半透過型薄膜トランジスタ液晶ディスプレイを備える液晶ディスプレイデバイスを提供する。
【００１１】
ここに具体化され且つ広く記述されたように、本発明は上述した半透過型薄膜トランジスタ液晶ディスプレイを備える電子デバイスを提供する。
【００１２】
本発明の一つ、一部分または全部、及び他の特徴と利点は当業者によれば、下記の説明により即座に明らかになる。本発明を実施するのに最も適切な一つの形態を簡単に例示することによって、本発明の好適な実施形態を示し説明する。認識されるように、本発明は異なる実施形態が可能であり、且つ本発明の要旨を逸脱しない範囲でいくつかの細部は多様且つ自明な態様に変更できる。従って、図面及び説明は制限ではなく事実上の例示であると見なされるべきである。
【発明を実施するための最良の形態】
【００１３】
添付した図面は本発明のさらなる理解を得るために用いられ、本明細書に組み入れられ且つ明細書の一部分を構成する。図面は本発明の実施例を図解し、記述とともに本発明の原理を説明する役割を果たす。
【００１４】
図３は本発明の一つの実施例による半透過型LCDパネルを模式的に示す上面図であり、図４は図３に示されている本発明の一つの実施例による半透過型LCDパネルのB-Bラインに沿った模式的断面図である。図３と図４を参照すると、本発明の半透過型LCDパネル200は薄膜トランジスタアレイ基板210と、カラーフィルター基板220と、液晶層230とを備える。カラーフィルター基板220は薄膜トランジスタアレイ基板210の上側に配置され、液晶層230は薄膜トランジスタアレイ基板210とカラーフィルター基板220の間に狭持されている。
【００１５】
図３と図４を参照すると、本発明のこの例示された実施例において、薄膜トランジスタアレイ基板210は基板212と、基板212に配置された複数の走査線214と、基板212に配置された複数のデータ線216と、基板212に配置された第一ピクセルグループ218aと、基板212に配置された第二ピクセルグループ218bとを備える。走査線214、データ線216、第一ピクセルグループ218a及び第二ピクセルグループ218bの配置は当業者にとって周知であり、従って本発明を理解するための更なる説明は不必要である。第一ピクセルグループ218aは第一反射リージョンR1と第一透過リージョンT1とを有する。第二ピクセルグループ218bは第二透過リージョンT2と第二反射リージョンR2とを有する。第一ピクセルグループ218aと第二ピクセルグループ218bは走査線214とデータ線216により制御され且つ列方向に沿って交互に配列されている。図３と図４に示されているように、薄膜トランジスタアレイ基板210において、第一反射リージョンR1、第一透過リージョンT1、第二透過リージョンT2、及び第二反射リージョンR2が順に列方向に沿って配列されている。
【００１６】
図３と図４に示されているように、第一ピクセルグループ218aは行方向に沿って配列された複数の第一ピクセルP1を有する。各第一ピクセルP1は第一薄膜トランジスタ219aと、第一反射電極219bと、第一透過電極219cとを備える。第一薄膜トランジスタ219aは走査線214の一つとデータ線216の一つとに電気的接続され、第一反射電極219bは第一薄膜トランジスタ219aに電気的接続され、第一透過電極219cは第一反射電極219bに電気的接続されており、第一反射電極219bと第一透過電極219cは列方向に沿って配列されている。
【００１７】
図３と図４に示されているように、第二ピクセルグループ218bは行方向に沿って配列された複数の第二ピクセルP2を有する。各第二ピクセルP2は第二薄膜トランジスタ219dと、第二透過電極219eと、第二反射電極219fとを備える。第二薄膜トランジスタ219dは走査線214の一つとデータ線216の一つとに電気的接続され、第二透過電極219eは第二薄膜トランジスタ219dに電気的接続され、第二反射電極219fは第二透過電極219eに電気的接続されており、第二透過電極219eと第二反射電極219fは列方向に沿って配列されている。
【００１８】
図３と図４に示されているように、カラーフィルター基板220は第二基板222と、第二基板222に配置された複数のカラーフィルター膜223と、第二基板222に配置された突起層224と、第二基板222を覆うように配置されたコモン電極226とを備える。複数の突起を有する突起層224は第一反射リージョンR1と第二反射リージョンR2の上側に設置されている。各突起がカラーフィルター基板220と薄膜トランジスタアレイ基板210との間の間隔を狭くさせる。別の実施例によれば、第一反射リージョンR1と第二反射リージョンR2の上側にある間隔の厚さを第一透過リージョンT1と第二透過リージョンT2の上側にある間隔の厚さの半分に等しくすることが可能である。コモン電極226はカラーフィルター膜223と突起層224とをカバーする。
【００１９】
薄膜トランジスタアレイ基板210の同じ列において、第一ピクセルP1の第一透過リージョンT1と第二ピクセルP2の第二透過リージョンT2は接するように配置されているため、逆傾斜領域D2だけが第一ピクセルP1内と第二ピクセルP2内のエリアに形成される。従って、図１と図２と比べると、各第一ピクセルP1と第二ピクセルP2の端部において逆傾斜領域D1がなくされたため、半透過型LCDパネル200の開口率をさらに高くすることが可能である。
【００２０】
図５は本発明の一つの実施例による他の半透過型LCDパネルを模式的に示す上面図であり、図６は図５に示されている本発明の一つの実施例による他の半透過型LCDパネルのC-Cラインに沿った模式的断面図である。図５と図６を参照すると、本発明の半透過型LCDパネル300は薄膜トランジスタアレイ基板310と、カラーフィルター基板320と、液晶層330とを備える。カラーフィルター基板320は薄膜トランジスタアレイ基板310の上側に配置され、液晶層330は薄膜トランジスタアレイ基板310とカラーフィルター基板320の間に狭持されている。
【００２１】
図５と図６を参照すると、本発明において、薄膜トランジスタアレイ基板310は基板312と、基板312に配置された複数の走査線314と、基板312に配置された複数のデータ線316と、基板312に配置された第一ピクセルグループ318aと、基板312に配置された第二ピクセルグループ318bとを備える。第一ピクセルグループ318aは第一反射リージョンR1と第一透過リージョンT1とを有する。第二ピクセルグループ318bは第二透過リージョンT2と第二反射リージョンR2とを有する。走査線314、データ線316、第一ピクセルグループ318a及び第二ピクセルグループ318bの配置は当業者にとって周知であるため、詳しい説明は省略する。第一ピクセルグループ318aと第二ピクセルグループ318bは走査線314とデータ線316により制御され且つ行方向に沿って交互に配列されている。図５と図６に示されているように、薄膜トランジスタアレイ基板310において、第一反射リージョンR1、第一透過リージョンT1、第二透過リージョンT2、及び第二反射リージョンR2が順に行方向に沿って配列されている。
【００２２】
図５と図６に示されているように、第一ピクセルグループ318aは列方向に沿って配列された複数の第三ピクセルP3を有し、該第三ピクセルP3は第三薄膜トランジスタ319aと、第三反射電極319bと、第三透過電極319cとを備える。第三薄膜トランジスタ319aは走査線314の一つとデータ線316の一つとに電気的接続され、第三反射電極319bは第三薄膜トランジスタ319aに電気的接続され、第三透過電極319cは第三反射電極319bに電気的接続されており、第三反射電極319bと第三透過電極319cは行方向に沿って配列されている。
【００２３】
図５と図６に示されているように、各第二ピクセルグループ318bは列方向に沿って配列された複数の第四ピクセルP4を有し、各第四ピクセルP4は第四薄膜トランジスタ319dと、第四透過電極319eと、第四反射電極319fとを備える。第四薄膜トランジスタ319dは走査線314の一つとデータ線316の一つとに電気的接続され、第四透過電極319eは第四薄膜トランジスタ319dに電気的接続され、第四反射電極319fは第四透過電極319eに電気的接続されており、第四透過電極319eと第四反射電極319fは行方向に沿って配列されている。
【００２４】
図５と図６に示されているように、カラーフィルター基板320は第二基板322と、第二基板322に配置された複数のカラーフィルター膜323と、第二基板322に配置された突起層324と、第二基板322を覆うように配置されたコモン電極326とを備える。突起層324は第一反射リージョンR1と第二反射リージョンR2の上側に設置されている。コモン電極326はカラーフィルター膜323と突起層324をカバーする。
【００２５】
薄膜トランジスタアレイ基板310の同じ行において、第三ピクセルP3の第一透過リージョンT1と第四ピクセルP4の第二透過リージョンT2が連続的に配置されているため、逆傾斜領域D2だけが第三ピクセルP3内と第四ピクセルP4内のエリアに形成される。従って、各第三ピクセルP3と第四ピクセルP4の端部において逆傾斜領域D1がなくされたため、半透過型LCDパネル300の開口率をさらに増大させることが可能である。
【００２６】
図７は本発明の一つの実施例によるLCDデバイス(例えば、ディスプレイモニター)の模式図である。図７を参照すると、半透過型LCDパネル200または300を有するLCDデバイス400が提供される。例えば、本発明のLCDデバイス400は上述した半透過型LCDパネル200または300と、バックライトユニット410と、フレーム420と、ベゼル430と、イメージコントローラ440とを備える。半透過型LCDパネル200または300とバックライトユニット410はフレーム420により支えられる。半透過型LCDパネル200または300、バックライトユニット410とフレーム420はベゼル430により固定される。また、イメージコントローラ440は適切な方法により半透過型LCDパネル200または300とバックライトユニット410とに電気的に接続される。
【００２７】
図８は本発明の一つの実施例による電子デバイス(例えば、ノートブックコンピューター、パーソナル・デジタル・アシスタント、デジタルカメラなど)の模式図である。図８を参照すると、半透過型LCDパネル200または300を有する電子デバイス500が提供されている。例えば、本発明の電子デバイス500は上述した半透過型LCDパネル200または300と、バックライトユニット510と、フレーム520と、ベゼル530と、イメージコントローラ540と、個々の電子デバイスのためのコントロール機能を実施するシステムコントローラ550とを備える。このシステムコントローラは例えばデータソース、データインターフェースなどの要素を含むことが可能である。半透過型LCDパネル200または300とバックライトユニット510はフレーム520により支えられる。半透過型LCDパネル200または300、バックライトユニット510とフレーム520はベゼル530により固定される。また、イメージコントローラ540及びシステムコントローラ550は適切な方法により半透過型LCDパネル200または300及びバックライトユニット510と直接または間接に電気的に接続される。
【００２８】
前述の本発明の好適な実施形態に関する記述は例示と説明のために示されている。開示された形態それ自体または典型的な実施形態は本発明を全て網羅しているものではないし、これらの形態に本発明を限定することを意図したものではない。従って、前述の説明は制限というよりむしろ例示的なものであるとみなされるべきである。もちろん、多数の変形と変更が当業者にとって明らかである。本発明の原理と最良の実用形態を最もよく説明するため、前記実施形態が選ばれ且つ記述された。その結果、当業者は、本発明の多様な実施形態およびその変更が特定の使用や予期される実施に好適であることが理解できる。特に示唆がない限り、本発明の範囲は添付された請求項と、そのすべての用語を最も広い意味で解釈した均等物とにより定められることを目的とする。当然な事であるが、当業者は、例示された実施形態において本発明の請求項に定義された本発明の要旨を逸脱しない範囲で変更することが可能である。また、要素や構成部分が本発明の請求項に明示的に列挙されるか否かにかかわらず、本発明の開示における要素および構成部分を公衆に寄贈することを目的としているものではない。
【図面の簡単な説明】
【００２９】
【図１】従来の半透過型LCDパネルの模式的に示す上面図
【図２】図１に示されている従来の半透過型LCDパネルのA-Aラインに沿った模式的に示す断面図
【図３】本発明の一つの実施例による半透過型LCDパネルの模式的に示す上面図
【図４】図３に示されている本発明の一つの実施例による半透過型LCDパネルのB-Bラインに沿った模式的に示す断面図
【図５】本発明の一つの実施例による他の半透過型LCDパネルの模式的に示す上面図
【図６】図５に示されている本発明の一つの実施例による他の半透過型LCDパネルのC-Cラインに沿った模式的に示す断面図
【図７】本発明の一つの実施例によるLCDデバイスの模式図
【図８】本発明の一つの実施例による電子デバイスの模式図
【符号の説明】
【００３０】
200  半透過型LCDパネル
210  薄膜トランジスタアレイ基板
212  基板
214  走査線
216  データ線
218a 第一ピクセルグループ
218b 第二ピクセルグループ
219a 第一薄膜トランジスタ
219b 第一反射電極
219c 第一透過電極
219d 第二薄膜トランジスタ
219e 第二透過電極
219f 第二反射電極
220  カラーフィルター基板
222  第二基板
223  カラーフィルター膜
224  突起層
226  コモン電極
230  液晶層
400  LCDデバイス
440  イメージコントローラ
500  電子デバイス
550  システムコントローラ
P1   第一ピクセル
P2   第二ピクセル
R1   第一反射リージョン
R2   第二反射リージョン
T1   第一透過リージョン
T2   第二透過リージョン
【図１】
2007140435.tif 000003
【図２】
2007140435.tif 000004
【図３】
2007140435.tif 000005
【図４】
2007140435.tif 000006
【図５】
2007140435.tif 000007
【図６】
2007140435.tif 000008
【図７】
2007140435.tif 000009
【図８】
2007140435.tif 000010